(57)【特許請求の範囲】
【請求項１】
好気処理槽を備えるとともに、前記好気処理槽の下流に被処理水を消毒処理する消毒槽を備えた浄化槽であって、前記消毒槽に貝殻を内装した貝殻処理部を設けるとともに、その貝殻に散気処理する散気装置を設けてある浄化槽。
【発明の詳細な説明】
【０００１】
【発明の属する技術分野】
本発明は、好気処理槽を備えた浄化槽に関する。
【０００２】
【従来の技術】
従来、この種の浄化槽としては、嫌気処理槽、好気処理槽、沈殿層、消毒槽等を備えたものが利用されている。
【０００３】
浄化槽は、通常、一般家庭からの排水を浄化するのに適した構成を採用しており、嫌気処理槽にてし尿排水等を受け、ＢＯＤを酸化分解しつつアンモニア性窒素を硝化し、脱窒、ときにはＢＯＤを消費しつつ、無害化する構成とし、さらに、好気処理槽で、さらにＢＯＤを消費しつつアンモニア性窒素を完全に無害化すべく好気性菌を育成するようにエア供給する構成としてある。つまり、浄化槽内での水質は、前記嫌気濾床槽ではアンモニア性窒素の寄与を受けて中性から弱アルカリ性、好気処理槽では硝化された硝酸性窒素の影響を受け中性から弱酸性程度に維持され、汚水処理を行う微生物に関しても、これらの環境に適したものが生育するように構成してある。
【０００４】
【発明が解決しようとする課題】
ところが、被処理水の水質等によっては、前記好気処理槽の水質が酸性に偏ることがある。従来このような浄化槽には、被処理水の性質が酸性に偏るのを防止するために、凝集剤等を定期的に投入することが行われているが、管理が煩雑となるために好ましくなく、このような凝集剤を投入する投入装置を設けて自動的に管理できるようにすることも提案されているが、小規模の浄化槽になればなるほど、凝集剤を長期間にわたって少量づつ維持管理しなければならないことになって管理が困難になるなどの問題点を抱えていた。
【０００５】
従って、本発明の目的は、上記実状に鑑み、酸性になりやすい被処理水であっても効率よく処理できる浄化槽を提供することにある。
【０００６】
【課題を解決するための手段】
この目的を達成するための本発明の汚水処理装置の特徴構成は、好気処理槽を備えるとともに、前記好気処理槽の下流に被処理水を消毒処理する消毒槽を備えた浄化槽に対しては、前記消毒槽に貝殻を内装した貝殻処理部を設けるとともに、その貝殻に散気処理する散気装置を設けてある点にある。
その作用・効果は以下の通りである。
【０００７】
〔作用効果〕
貝殻は、主成分が炭酸カルシウムであるから、リン酸と反応して不溶性のリン酸カルシウムを生成して、リン酸成分を沈殿除去させることができる。つまり、前記好気処理槽から流出する被処理水にリン酸成分が含まれていた場合には、そのリン酸成分が、前記貝殻と接触することになるから、リン酸成分が沈殿除去され、リン酸濃度の低下した被処理水が流出することになる。そのため、好気処理槽でリン酸濃度が高くなったとしても好気処理槽から放出されるリン酸量を低下させることができる。
このとき、前記貝殻に多量の溶存酸素を含んだ被処理水供給しつつ処理を行うようにすれば、前記炭酸カルシウムの溶出が促進され、リン酸とカルシウムとの十分な反応を導くことが出来好ましく、更に前記被処理水が、多量の気泡を有するものであれば、前記貝殻に付着した沈殿成分等を容易に剥離除去できるので、長期にわたって持続的な効果を得やすい。
【０００９】
また、好気処理槽から下流側に目を向けると、沈殿槽を介して消毒槽を設けてある場合が多い。このような場合には、前記消毒槽に貝殻処理部を設けておくことで、浄化槽外に放流される被処理水中のリン濃度を最終的に低く抑えることが出来、好ましい。この場合、気泡の供給が望みにくいので、さらに散気装置を設けて前記貝殻に気泡供給容易に構成しておくことが好ましい。
さらにまた、このような場合には、浮遊汚泥の少ない状態で貝殻とリン酸との接触が図れるので、前記貝殻が汚染してリン除去効率を低下させてしまうような不都合を防止しやすい。
【００１０】
【発明の実施の形態】
以下に本発明の実施の形態を図面に基づいて説明する。
本発明の汚水処理装置を構成する浄化槽は、図１，２に示すように、上下一対の樹脂成形体Ｘ１，Ｘ２を、それぞれの樹脂成形体Ｘ１，Ｘ２に設けたフランジ部Ｘａで接合してなる浄化槽本体Ｘの内部に、仕切壁Ｗ１，Ｗ２，Ｗ３を設けて複数の水処理空間を形成するとともに、上流側から、嫌気処理槽の一例としての第一、第二嫌気濾床槽Ｎ１、Ｎ２、好気処理槽の一例としての接触ばっ気槽Ｅ１、沈殿槽Ｐを、被処理水が自然移流によりこの順に流れるように設けてある。また、沈殿槽Ｐの上方には消毒槽Ｑを設けて構成してある。
【００１１】
前記第一嫌気濾床槽Ｎ１は、被処理水流入口Ｉからの流入汚水を受けて、一時貯留し、夾雑物を沈澱分離させつつ、被処理水を嫌気処理すべく嫌気性微生物を育成する嫌気濾床Ｆ１を設けて構成してある。また、第二嫌気濾床槽Ｎ２は、嫌気濾床Ｆ２を内装し、前記第一嫌気濾床槽Ｎ１からの被処理水を受けてさらに嫌気処理を行い、被処理水を浄化可能に構成してある。
【００１２】
前記接触ばっ気槽Ｅ１の下流には、下方でこれに連通する沈殿槽Ｐを設けてある。
【００１３】
前記接触ばっ気槽Ｅ１には、被処理水中の残りの有機物の分解やアンモニア性窒素の硝化反応等を行う好気性微生物を定着させるための接触材Ｃ１を設け、室内に被処理水の循環流を生ぜしめ、前記接触材Ｃ１に定着させた好気性微生物に、有機物を含む被処理水をよく接触させ、且つ、この好気性微生物に必要な酸素を与えるエアーを供給するための散気管Ｄ１を設けてある。
そして、さらに接触材Ｃ１に生物膜等が付着しすぎて目詰まりを起こすことを防止するため、空気をバブリングさせて、付きすぎた生物膜等を剥離汚泥として剥離する逆洗管Ｒ１が、接触材Ｃ１の下方に設けられている。また、接触ばっ気槽Ｅ１内の被処理水を嫌気濾床槽Ｎ１に返送するエアリフト管Ａ２が好気瀘床槽第２室Ｅ２内に立設してあり、浄化槽内上部に、接触ばっ気槽Ｅ１から嫌気濾床槽Ｎ１にかけわたして設けてある横管Ａ３にそれぞれ接続することで返送管Ａ１を構成してある。また、図３に示すように、前記エアリフト管Ａ２の上部の前記横管Ａ３接続部近傍は、大径に構成してあり、内部にカキ殻Ｓ１の収容部を形成して、貝殻処理部Ｓを形成するとともに、上昇する気泡の勢いを緩衝し、被処理水の吹き出しを防止している。
これにより、エアリフト管Ａ２へのエア供給すると返送管Ａ１が作動されて、第二接触ばっ気槽Ｅ２内の被処理水や剥離汚泥の返送がおこなわれるとともに、被処理水のカキ殻Ｓ１との接触・反応が図られ、被処理水中からのリン除去が行われる。
【００１４】
また、沈殿槽Ｐ及び消毒槽Ｑについて説明すると、沈殿槽Ｐは下部において接触ばっ気槽Ｅ１と連通させ、移流してきた剥離汚泥を沈殿除去する構成にしてある。前記沈殿槽Ｐから前記消毒槽Ｑへは被処理水をオーバーフローで移送可能に構成してある。前記消毒槽Ｑには被処理水がオーバーフローで流入する際に固形消毒剤Ｑ１と接触自在な構成としてあり、消毒済みの被処理水は放流口Ｚから外部に放流される構成となっている。
【００１５】
〔別実施形態〕
以下に別実施形態を説明する。
先の実施の形態では、貝殻処理部Ｓをエアリフト管Ａ２の上部に設けたが前記横管Ａ３の途中又は末端に設けても良い。また、前記消毒槽Ｑに貝殻処理部Ｓを設けても良く、前記接触ばっ気槽Ｅ１等の好気処理槽から流出する被処理水に接触自在に設けてあればよい。
また、貝殻としては、カキ殻Ｓ１に代表される大型貝で、かつ凹凸形状のものが好ましいが、ホタテ貝等でも良く、さらには、種々の貝製品を製造した廃材であっても良い。
【図面の簡単な説明】
【図１】浄化槽の縦断側面図
【図２】浄化槽の横断平面図
【図３】要部拡大図
【符号の説明】
Ｓ    貝殻処理部
Ａ２  エアリフト管
Ｅ１  好気処理槽
【図１】
0003683099.tif 000002
【図２】
0003683099.tif 000003
【図３】
0003683099.tif 000004